(57)【要約】      （修正有）【課題】制御チャネルの、統一された、複雑さの低い処理（例えば、ユーザ分離および雑音推定）を容易にするシステムおよび方法を提供する。【解決手段】１または複数のＵＥがそれぞれ、１または複数の制御信号を送信する。これらは、制御チャネルにおいて多重化され、基地局は、１または複数の制御信号を含む制御チャネル信号を受信する。基地局は、制御チャネル信号をベース・シーケンスとマッチさせ、マッチされた信号を時間領域表示に変換することによって、単一のパスにおいて、制御信号を分離する。時間領域表示では、制御信号はおのおのの、異なるタップに存在する。さらに、基地局は、未使用のサイクリック・シフトまたは直交カバー・シーケンスに対応する時間領域表示のタップを識別する。このようなタップは、雑音および／または干渉の推定値を生成するために適用される。【選択図】図１
2014014106.tif 000002
【特許請求の範囲】
【請求項１】
無線通信の方法であって、
制御チャネルでユーザ機器から制御チャネル信号を受信することと、
前記制御チャネル信号をベース・シーケンスとマッチさせ、マッチした信号を、前記制御チャネル信号から生成することと、
前記マッチした信号を、時間領域表示に変換することと、
前記ユーザ機器に関連付けられた信号に対応する、前記時間領域表示におけるタップ位置のセットを識別することと、
を備える方法。
【請求項２】
前記制御チャネル信号は、複数のユーザ機器からの複数の信号を含み、
前記ユーザ機器に関連付けられた信号は、前記複数のユーザ機器からの複数の信号のうちの１つである、請求項１に記載の方法。
【請求項３】
前記制御チャネル信号のマッチングと、前記マッチされた信号の変換とは、前記複数のユーザ機器について一度なされ、
前記複数のユーザ機器は、前記制御チャネル内で多重化される、請求項１に記載の方法。
【請求項４】
前記マッチされた信号は、時間において分離される前記複数の信号からの信号を含む、請求項３に記載の方法。
【請求項５】
前記マッチされた信号を変換することは、逆離散フーリエ変換を適用することを備える、請求項１に記載の方法。
【請求項６】
前記ユーザ機器は、前記信号を、前記制御チャネルで送信するために、前記ベース・シーケンスのサイクリック・シフト・バージョンを利用する、請求項１に記載の方法。
【請求項７】
前記タップ位置のセットを識別することは、前記サイクリック・シフト・バージョンのインデクスに関連付けられたタップ位置を判定することを備える、請求項６に記載の方法。
【請求項８】
前記複数のユーザ機器からのおのおののユーザ機器は、前記制御チャネルで信号を送信するために、異なるベース・シーケンスのサイクリック・シフト・バージョンを利用する、請求項２に記載の方法。
【請求項９】
前記タップ位置のセットは、２つ以上のユーザ機器に関連付けられた２つ以上の信号に対応する、請求項２に記載の方法。
【請求項１０】
前記２つ以上の信号を分離するために、前記２つ以上の信号に、直交カバー・シーケンスを適用することをさらに備える、請求項９に記載の方法。
【請求項１１】
前記タップ位置のセットに含まれる信号を復調して、制御情報を得ることをさらに備える、請求項１に記載の方法。
【請求項１２】
前記制御情報は、ハイブリッド自動反復要求情報を含む、請求項１１に記載の方法。
【請求項１３】
前記制御情報は、チャネル品質インジケータ情報を含む、請求項１１に記載の方法。
【請求項１４】
無線通信装置であって、
制御チャネルでユーザ機器から制御チャネル信号を受信することと、
前記制御チャネル信号をベース・シーケンスとマッチさせ、マッチした信号を、前記制御チャネル信号から生成することと、
前記マッチした信号を、時間領域表示に変換することと、
前記ユーザ機器に関連付けられた信号に対応する、前記時間領域表示におけるタップ位置のセットを識別することと、
に関連する命令群を保持するメモリと、
前記メモリに接続され、前記メモリに保持された命令群を実行するように構成されたプロセッサと、
を備える無線通信装置。
【請求項１５】
前記制御チャネル信号は、複数のユーザ機器からの複数の信号を含み、
前記ユーザ機器に関連付けられた信号は、前記複数のユーザ機器からの複数の信号のうちの１つである、請求項１４に記載の無線通信装置。
【請求項１６】
前記プロセッサは、前記複数のユーザ機器に対して一度、前記制御チャネル信号をマッチングすることと、前記マッチされた信号を変換することと、に関連する命令群を実行する、請求項１５に記載の無線通信装置。
【請求項１７】
前記マッチされた信号は、時間において分離される前記複数の信号からの信号を含む、請求項１６に記載の無線通信装置。
【請求項１８】
前記メモリはさらに、前記マッチした信号に対して、逆離散フーリエ変換を適用することに関連する命令群を保持する、請求項１４に記載の無線通信装置。
【請求項１９】
前記メモリはさらに、前記ベース・シーケンスのサイクリック・シフト・バージョンのインデクスに関連付けられたタップ位置を判定することに関連する命令群を保持し、
前記ユーザ機器は、前記信号を、前記制御チャネルで送信するために、前記サイクリック・シフト・バージョンを適用する、請求項１４に記載の無線通信装置。
【請求項２０】
前記複数のユーザ機器からのおのおののユーザ機器は、異なるベース・シーケンスのサイクリック・シフト・バージョンを適用する、請求項１５に記載の無線通信装置。
【請求項２１】
前記タップ位置のセットは、２つ以上のユーザ機器に関連付けられた２つ以上の信号に対応し、
前記メモリはさらに、前記２つ以上の信号を分離するために、前記２つ以上の信号に、直交カバー・シーケンスを適用することに関連する命令群を保持する、請求項１４に記載の無線通信装置。
【請求項２２】
前記メモリはさらに、前記タップ位置のセットに含まれる信号を復調して、制御情報を得ることに関連する命令群を保持する、請求項１４に記載の無線通信装置。
【請求項２３】
無線通信装置であって、
制御チャネルでユーザ機器から制御チャネル信号を受信する手段と、
前記制御チャネル信号をベース・シーケンスとマッチさせ、マッチした信号を、前記制御チャネル信号から生成する手段と
前記マッチした信号を、時間領域表示に変換する手段と、
前記ユーザ機器に関連付けられた信号に対応する時間領域表示におけるタップ位置のセットを識別する手段と、
を備える無線通信装置。
【請求項２４】
前記制御チャネル信号は、複数のユーザ機器からの複数の信号を含み、
前記ユーザ機器に関連付けられた信号は、前記複数のユーザ機器からの複数の信号のうちの１つである、請求項２３に記載の装置。
【請求項２５】
前記マッチさせる手段と、前記変換する手段とは、前記複数のユーザ機器のために一度利用される、請求項２４に記載の装置。
【請求項２６】
前記マッチされた信号は、時間において分離される前記複数の信号からの信号を含む、請求項２４に記載の装置。
【請求項２７】
前記複数のユーザ機器からのおのおののユーザ機器は、前記複数の信号のうちの１つを前記制御チャネルで送信するために、異なるベース・シーケンスのサイクリック・シフト・バージョンを利用する、請求項２４に記載の装置。
【請求項２８】
前記サイクリック・シフト・バージョンのインデクスに関連付けられたタップ位置を判定する手段をさらに備える、請求項２７に記載の装置。
【請求項２９】
前記複数のユーザ機器からのおのおののユーザ機器は、異なるベース・シーケンスのサイクリック・シフト・バージョンを適用する、請求項２７に記載の装置。
【請求項３０】
前記タップ位置のセットは、２つ以上のユーザ機器に関連付けられた２つ以上の信号に対応する、請求項２３に記載の装置。
【請求項３１】
前記２つ以上の信号を分離するために、前記２つ以上の信号に、直交カバー・シーケンスを適用する手段をさらに備える、請求項３０に記載の装置。
【請求項３２】
前記タップ位置のセットに含まれた信号を復調して、制御情報を得る手段をさらに備える、請求項２３に記載の装置。
【請求項３３】
コンピュータ・プログラム製品であって、
制御チャネルでユーザ機器から制御チャネル信号を受信するためのコードと、
前記制御チャネル信号をベース・シーケンスとマッチさせ、マッチした信号を、前記制御チャネル信号から生成するためのコードと、
前記マッチした信号を、時間領域表示に変換するためのコードと、
前記ユーザ機器に関連付けられた信号に対応する、前記時間領域表示におけるタップ位置のセットを識別するためのコードと、
を備えるコンピュータ読取可能媒体を備える、コンピュータ・プログラム製品。
【請求項３４】
前記制御チャネル信号は、複数のユーザ機器からの複数の信号を含み、
前記ユーザ機器に関連付けられた信号は、前記複数のユーザ機器からの複数の信号のうちの１つである、請求項３３に記載のコンピュータ・プログラム製品。
【請求項３５】
前記マッチされた信号は、時間において分離される前記複数の信号からの信号を含む、請求項３４に記載のコンピュータ・プログラム製品。
【請求項３６】
前記コンピュータ読取可能媒体はさらに、前記マッチした信号に対して、逆離散フーリエ変換を適用するためのコードを備える、請求項３３に記載のコンピュータ・プログラム製品。
【請求項３７】
前記コンピュータ読取可能媒体はさらに、前記ベース・シーケンスのサイクリック・シフト・バージョンのインデクスに関連付けられたタップ位置を判定するためのコードを備え、
前記ユーザ機器は、前記信号を、前記制御チャネルで送信するために、前記サイクリック・シフト・バージョンを適用する、請求項３３に記載のコンピュータ・プログラム製品。
【請求項３８】
前記タップ位置のセットは、２つ以上のユーザ機器に関連付けられた２つ以上の信号に対応する、請求項３３に記載のコンピュータ・プログラム製品。
【請求項３９】
前記コンピュータ読取可能媒体はさらに、前記２つ以上の信号を分離するために、前記２つ以上の信号に、直交カバー・シーケンスを適用するためのコードを備える、請求項３８に記載のコンピュータ・プログラム製品。
【請求項４０】
前記コンピュータ読取可能媒体はさらに、前記タップ位置のセットに含まれる信号を復調して、制御情報を得るためのコードを備える、請求項３４に記載のコンピュータ・プログラム製品。
【請求項４１】
無線通信装置であって、
制御チャネルでユーザ機器から制御チャネル信号を受信し、
前記制御チャネル信号をベース・シーケンスとマッチさせ、マッチした信号を、前記制御チャネル信号から生成し、
前記マッチした信号を、時間領域表示に変換し、
前記ユーザ機器に関連付けられた信号に対応する、前記時間領域表示のタップ位置のセットを識別する、
ように構成されたプロセッサを備え、
前記プロセッサはさらに、単一のパスにおいて、前記制御チャネル信号をマッチさせ、前記マッチした信号を変換するように構成された、無線通信装置。
【請求項４２】
無線通信の方法であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
を備える方法。
【請求項４３】
前記制御チャネル信号をベース・シーケンスとマッチさせ、マッチした信号を、前記制御チャネル信号から生成することと、
前記時間領域表示を生成するために、逆離散フーリエ変換を適用することと、
をさらに備える、請求項４２に記載の方法。
【請求項４４】
無線通信装置であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
に関連する命令群を保持するメモリと、
前記メモリに接続され、前記メモリに保持された命令群を実行するように構成されたプロセッサと、
を備える無線通信装置。
【請求項４５】
前記メモリはさらに、
前記制御チャネル信号をベース・シーケンスとマッチさせ、マッチした信号を、前記制御チャネル信号から生成することと、
前記時間領域表示を生成するために、逆離散フーリエ変換を適用することと、
に関連する命令群を保持する、請求項４４に記載の無線通信装置。
【請求項４６】
無線通信装置であって、
制御チャネルでユーザ機器から制御チャネル信号を受信する手段と、
前記制御チャネルの時間領域表示を生成する手段と、ここで、前記時間領域表示は、時間で分離される複数の信号を含む、
未使用のサイクリック・シフト・インデクスに対応する、前記時間領域表示におけるタップを識別する手段と、
前記タップに少なくとも部分的に基づいて、前記制御チャネル信号に関連付けられた雑音を推定する手段と、
を備える無線通信装置。
【請求項４７】
前記制御チャネル信号をベース・シーケンスとマッチさせ、マッチした信号を、前記制御チャネル信号から生成する手段と、
前記マッチした信号を、前記時間領域表示に変換する手段と、
をさらに備える、請求項４６に記載の装置。
【請求項４８】
無線通信のためのコンピュータ・プログラム製品であって、
制御チャネルでユーザ機器から制御チャネル信号を受信するためのコードと、
前記制御チャネル信号の時間領域表示を生成するためのコードと、ここで、前記時間領域表示は、時間で分離される複数の信号を含む、
未使用のサイクリック・シフト・インデクスに対応する、前記時間領域表示におけるタップを識別するためのコードと、
前記タップに少なくとも部分的に基づいて、前記制御チャネル信号に関連付けられた雑音を推定するためのコードと、
を備えるコンピュータ読取可能媒体を備える、コンピュータ・プログラム製品。
【請求項４９】
前記コンピュータ読取可能媒体はさらに、
前記制御チャネル信号をベース・シーケンスとマッチさせ、マッチした信号を、前記制御チャネル信号から生成するためのコードと、
前記時間領域表示を生成するために、逆離散フーリエ変換を適用するためのコードと、
を備える、請求項４８に記載のコンピュータ・プログラム製品。
【請求項５０】
無線通信装置であって、
制御チャネルでユーザ機器から制御チャネル信号を受信し、
前記制御チャネル信号の時間領域表示を生成し、ここで、前記時間領域表示は、時間で分離される複数の信号を含む、
未使用のサイクリック・シフト・インデクスに対応する、前記時間領域表示におけるタップを識別し、
前記タップに少なくとも部分的に基づいて、前記制御チャネル信号に関連付けられた雑音を推定する、
ように構成されたプロセッサを備える、無線通信装置。
【請求項５１】
前記プロセッサはさらに、
前記制御チャネル信号をベース・シーケンスとマッチさせ、マッチした信号を、前記制御チャネル信号から生成し、
前記時間領域表示を生成するために、逆離散フーリエ変換を適用するように構成された、請求項５０に記載の無線通信装置。
【発明の詳細な説明】
【優先権主張】
【０００１】
本特許出願は、「ＬＴＥアップリンクＰＵＣＣＨチャネルのための、複雑さの低い、統一された処理のシステムおよび方法」（SYSTEMS AND METHODS OF LOW COMPLEXITY UNIFIED PROCESSING FOR LTE UPLINK PUCCH CHANNELS）と題された２００９年６月２２日出願の米国仮出願６１／２１９，３５２号に対する優先権を主張する。上記米国仮出願は、本願の譲受人に譲渡され、その全体が参照によって明確に組み込まれている。
【技術分野】
【０００２】
以下の記載は、一般に、無線通信システムに関し、さらに詳しくは、無線通信システムにおけるアップリンク制御チャネルのための、複雑さの低い、統一された処理技術に関する。
【背景技術】
【０００３】
無線通信システムは、例えば音声およびデータのようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰ２、高速パケット・アクセス（ＨＳＰＡ）、高速ダウンリンク・パケット・アクセス（ＨＳＤＰＡ）、高速アップリンク・パケット・アクセス（ＨＳＵＰＡ）、３ＧＰＰロング・ターム・イボリューション（ＬＴＥ）、ＬＴＥアドバンスト（ＬＴＥ−Ａ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
基地局は、１または複数のモバイル・デバイスへ、ダウンリンク制御チャネルで、制御情報またはシグナリングを送信しうる。同様に、モバイル・デバイスは、基地局へ、アップリンク制御チャネルで、制御情報またはシグナリングを送信しうる。ダウンリンク制御情報は、関連付けられたダウンリンク・データ送信をサポートしうる。例えば、ダウンリンク制御情報は、スケジューリング割当、ダウンリンク・データ送信の復調および復号を容易にする情報、等を含みうる。それに加えて、ダウンリンク制御情報は、アップリンク送信をサポートする情報をも含みうる。例えば、ダウンリンク制御情報は、アップリンク・チャネルにおけるリソースのためのスケジューリング許可、アップリンク送信に応じたハイブリッド自動反復要求（ＡＲＱ）アクノレッジメント、および／または、電力制御コマンドを含みうる。同様に、アップリンク制御情報は、アップリンク送信および／またはダウンリンク送信をサポートしうる。例えば、アップリンク制御情報は、受信したダウンリンク送信に関連付けられたハイブリッドＡＲＱアクノレッジメント、ダウンリンク・チャネル条件に関するレポート、スケジューリング要求、等を含みうる。
【０００６】
ロング・ターム・イボリューション（ＬＴＥ）では、アップリンク制御情報を伝送するために、物理アップリンク制御チャネル（ＰＵＣＣＨ）が利用されうる。モバイル・デバイスが、物理アップリンク共有チャネル（ＰＵＳＣＨ）におけるリソースに関するスケジューリング許可を有していない場合、モバイル・デバイスによってＰＵＣＣＨが使用される。ＰＵＣＣＨリソースは、単一のリソース・ブロックから成る。これは、周波数次元において１２のサブ・キャリア、時間次元において１つのサブ・フレームにわたる。ＰＵＣＣＨは、リソース・ブロック間で周波数分割多重化（ＦＤＭ）を、リソース・ブロック内で符号分割多重か（ＣＤＭ）を適用する。ＦＤＭ／ＣＤＭ結合アプローチによって、複数のモバイル・デバイスは、単一のＰＵＣＣＨリソースを利用することにより、アップリンク制御情報を基地局へ送信できるようになる。
【０００７】
複数のモバイル・デバイスが同じリソースを利用しうるので、基地局は、個々のモバイル・デバイスからアップリンク制御情報を分離するために、分離アルゴリズムを実施する。従来、基地局は、ＰＵＣＣＨリソース上のユーザを分離するために、モバイル・デバイス毎のアプローチを適用している。例えば、基地局は、アップリンク制御チャネルに含まれたモバイル・デバイスの数に依存して、アイソレーション技術を複数回実行する。処理のこのような反復および／または複製は、複雑さの高い受信機をもたらす場合がある。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
１または複数の実施形態および対応する開示によれば、さまざまな態様が、制御チャネルの、統一された、複雑さの低い処理（例えば、ユーザ分離および雑音推定）を容易にすることに関して記載される。１または複数のＵＥがそれぞれ、制御信号を送信する。制御信号は、制御チャネルにおいて多重化され、基地局は、１または複数の制御信号を含む制御チャネル信号を受信しうる。基地局は、制御チャネル信号をベース・シーケンスとマッチさせ、マッチした信号を時間領域表示に変換することによって、単一のパスにおいて、制御信号を分離しうる。時間領域表示では、制御信号はおのおのの、異なるタップに存在する。さらに、基地局は、未使用のサイクリック・シフトまたは直交カバー・シーケンスに対応する時間領域表示におけるタップを識別しうる。このようなタップは、雑音および／または干渉の推定値を生成するために使用されうる。
【００１０】
第１の態様によれば、制御チャネルで制御チャネル信号を受信することを含みうる方法が、本明細書で記述される。制御チャネル信号は、１または複数のＵＥからの１または複数の信号を含みうる。さらに、この方法は、制御チャネル信号をベース・シーケンスとマッチさせ、マッチした信号を、制御チャネル信号から生成することを含みうる。この方法はさらに、マッチした信号を、時間領域表示に変換することを備えうる。それに加えて、この方法は、ＵＥに関連付けられた信号に対応する時間領域表示におけるタップ位置のセットを識別することを含みうる。
【００１１】
別の態様は、無線通信装置に関する。この無線通信装置は、制御チャネルで制御チャネル信号を受信することと、制御チャネル信号をベース・シーケンスとマッチさせ、マッチした信号を、制御チャネル信号から生成することと、に関連する命令群を保持するメモリを含みうる。制御チャネル信号は、１または複数のＵＥからの１または複数の信号を含みうる。メモリはさらに、マッチした信号を、時間領域表示に変換することと、ＵＥに関連付けられた信号に対応する時間領域表示におけるタップ位置のセットを識別することと、に関連する命令群を保持する。この無縁通信装置はさらに、メモリに接続され、メモリに保持された命令群を実行するように構成されたプロセッサをも含みうる。
【００１２】
さらに別の態様は、単一のパスにおける制御チャネルにおけるユーザの分離を可能にする装置に関する。この装置はさらに、制御チャネルで制御チャネル信号を受信する手段を含みうる。制御チャネル信号は、１または複数のＵＥからの１または複数の信号を含みうる。この装置はさらに、制御チャネル信号をベース・シーケンスとマッチさせ、マッチした信号を、制御チャネル信号から生成する手段を含みうる。さらに、この装置は、マッチした信号を、時間領域表示に変換する手段を備えうる。さらに、この装置は、ＵＥに関連付けられた信号に対応する時間領域表示におけるタップ位置のセットを識別する手段を含みうる。関連する態様では、この装置は、オプションとして、サイクリック・シフト・バージョンのインデクスに関連付けられたタップ位置を判定する手段と、２つ以上の信号を分離するために、２つ以上の信号に、直交カバー・シーケンスを適用する手段と、および／または、タップ位置のセットに含まれた信号を復調して、制御情報を得る手段と、を含みうる。
【００１３】
また、別の態様は、コンピュータ読取可能媒体を備えうるコンピュータ・プログラム製品に関する。このコンピュータ読取可能媒体は、制御チャネルで制御チャネル信号を受信するためのコードと、制御チャネル信号をベース・シーケンスとマッチさせ、マッチした信号を、制御チャネル信号から生成するためのコードと、マッチした信号を、時間領域表示に変換するためのコードと、ＵＥに関連付けられた信号に対応する時間領域表示におけるタップ位置のセットを識別するためのコードと、を含みうる。
【００１４】
別の態様によれば、装置が記載される。この装置は、制御チャネルで制御チャネル信号を受信し、制御チャネル信号をベース・シーケンスとマッチさせ、マッチした信号を、制御チャネル信号から生成し、マッチした信号を、時間領域表示に変換し、ＵＥに関連付けられた信号に対応する時間領域表示におけるタップ位置のセットを識別する、ように構成されたプロセッサを含みうる。制御チャネル信号は、１または複数のＵＥからの１または複数の信号を含みうる。それに加えて、プロセッサはさらに、単一のパスにおいて、複数のＵＥのうちのすべてのＵＥについて、制御チャネル信号をマッチさせ、マッチした信号を変換するように構成されている。
【００１５】
他の態様によれば、制御チャネルで制御チャネル信号を受信することと、制御チャネルにおける１または複数の信号が時間において分離される、制御チャネルの時間領域表示を生成することと、を含みうる方法が記載される。それに加えて、この方法は、未使用のサイクリック・シフト・インデクスに対応する時間領域表示におけるタップを識別することと、タップに少なくとも部分的に基づいて、制御チャネル信号に関連付けられた雑音を推定することと、を含みうる。
【００１６】
別の態様は、メモリを備える無線通信装置に関する。メモリは、制御チャネルで制御チャネル信号を受信することと、制御チャネルにおける１または複数の信号が時間において分離される、制御チャネルの時間領域表示を生成することと、未使用のサイクリック・シフト・インデクスに対応する、時間領域表示におけるタップを識別することと、タップに少なくとも部分的に基づいて、制御チャネル信号に関連付けられた雑音を推定することと、に関連する命令群を保持する。この無線通信装置は、メモリに接続され、メモリに保持された命令群を実行するように構成されたプロセッサをも含みうる。
【００１７】
また、別の態様は、制御チャネルで制御チャネル信号を受信する手段を含みうる装置に関する。制御チャネル信号は、１または複数のＵＥからの１または複数の信号を含みうる。この装置はまた、１または複数の信号が時間において分離される、制御チャネルの時間領域表示を生成する手段を含みうる。さらに、この装置は、未使用のサイクリック・シフト・インデクスに対応する、時間領域表示におけるタップを識別する手段を含みうる。さらに、この装置は、タップに少なくとも部分的に基づいて、制御チャネル信号に関連付けられた雑音を推定する手段を含みうる。
【００１８】
また、別の態様は、コンピュータ読取可能媒体を備えうるコンピュータ・プログラム製品に関する。このコンピュータ読取可能媒体は、制御チャネルで制御チャネル信号を受信するためのコードと、ここで、制御チャネル信号は、１または複数のＵＥからの１または複数の信号を含む、１または複数の信号が時間において分離される、制御チャネルの時間領域表示を生成するためのコードと、未使用のサイクリック・シフト・インデクスに対応する、前記時間領域表示におけるタップを識別するためのコードと、タップに少なくとも部分的に基づいて、制御チャネル信号に関連付けられた雑音を推定するためのコードと、を含みうる。
【００１９】
別の態様によれば、装置が記載される。この装置は、制御チャネルで制御チャネル信号を受信し、ここで、制御チャネル信号は、１または複数のＵＥからの１または複数の信号を含む、信号が時間において分離される制御チャネルの時間領域表示を生成し、未使用のサイクリック・シフト・インデクスに対応する、前記時間領域表示におけるタップを識別し、タップに少なくとも部分的に基づいて、制御チャネル信号に関連付けられた雑音を推定する、ように構成されたプロセッサを含みうる。
【００２０】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００２１】
【図１】図１は、さまざまな態様にしたがう、アップリンク制御チャネルを処理するための、複雑さの低い、統一されたアプローチを容易にする無線通信システムの例を図示する。
【図２】図２は、さまざまな態様にしたがって、ハイブリッド自動反復要求情報を含むアップリンク制御チャネルのためのリソース構造の例の図示である。
【図３】図３は、さまざまな態様にしたがって、アップリンク制御情報の制御チャネルへの組み込みを容易にするシステムの例の図示である。
【図４】図４は、さまざまな態様にしたがって、ハイブリッドＡＲＱ情報から制御チャネルを生成するためのデータ・フローの例の図示である。
【図５】図５は、さまざまな態様にしたがって、チャネル品質インジケータ情報を含むアップリンク制御チャネルのためのリソース構造の例の図示である。
【図６】図６は、さまざまな態様にしたがって、アップリンク制御情報の制御チャネルへの組み込みを容易にするシステムの例の図示である。
【図７】図７は、さまざまな態様にしたがって、チャネル品質情報から制御チャネルを生成するためのデータ・フローの例の図示である。
【図８】図８は、さまざまな態様にしたがって、制御チャネルで送信された、複数のユーザからのアップリンク制御情報の分離を容易にするシステムの例の図示である。
【図９】図９は、さまざまな態様にしたがう、シーケンス・マッチングおよび逆離散フーリエ変換後の時間領域表示の例示である。
【図１０】図１０は、さまざまな態様にしたがって、干渉および雑音の推定を容易にするシステムの例の図示である。
【図１１】図１１は、制御チャネル内で多重化された複数の信号を分離するための方法の例の図示である。
【図１２】図１２は、さまざまな態様にしたがって、制御チャネルに関連付けられた雑音および干渉を推定するための方法の例を示す。
【図１３】図１３は、さまざまな態様にしたがって、制御チャネルにおいて多重化されたユーザ信号の分離を容易にする装置の例の図示である。
【図１４】図１４は、さまざまな態様にしたがって、制御チャネルにおける雑音の推定を容易にする装置の例の図示である。
【図１５】図１５は、本明細書に記載された機能のさまざまな態様を実現するために利用されうる無線通信デバイスのブロック図である。
【図１６】図１６は、本明細書に記載された機能のさまざまな態様を実現するために利用されうる無線通信デバイスのブロック図である。
【図１７】図１７は、本明細書に記載されたさまざまな態様にしたがう無線通信システムの例示である。
【図１８】図１８は、本明細書に記載されたさまざまな態様が機能しうる無線通信システムの例を例示するブロック図である。
【発明を実施するための形態】
【００２２】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００２３】
本願で使用されるように、用語「構成要素」、「モジュール」、「システム」等は、例えば、ハードウェア、ファームウェア、ハードウェアとソフトウェアの組み合わせ、ソフトウェア、または、実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２４】
さらに、さまざまな態様は、本明細書において、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイント、ノードＢ、あるいは発展型ノードＢ（ｅＮＢ））は、１または複数のセクタを介して、無線端末と、エア・インタフェースによって通信する、アクセス・ネットワーク内のデバイスを称する。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２５】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２６】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えば、ユニバーサル地上ラジオ・アクセス（ＵＴＲＡ）、ＣＤＭＡ２０００、高速パケット・アクセス（ＨＳＰＡ）、高速ダウンリンク・パケット・アクセス（ＨＳＤＰＡ）、高速アップリンク・パケット・アクセス（ＨＳＵＰＡ）等のようなラジオ技術を実現しうる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣ、およびＧＳＭは、「第３世代パートシップ計画」（３ＧＰＰ）と命名された組織からの文書に記載されている。さらに、ＣＤＭＡ２０００およびＵＭＢは、「第３世代パートナシップ計画２」（３ＧＰＰ２）からの文書に記載されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。明瞭さのために、以下の記載では、ＷＣＤＭＡ（登録商標）、ＨＳＰＡ、ＨＳＤＰＡ、およびＨＳＵＰＡに関連付けられた専門用語が使用される。しかしながら、添付された特許請求の範囲は、特に明記されていないのであれば、ＷＣＤＭＡ、ＨＳＰＡ、ＨＳＤＰＡ、およびＨＳＵＰＡに限定されるべきであるとは意図されていないことが認識されるべきである。
【００２７】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２８】
多くのデバイス、構成要素、モジュール等を含みうるシステムの観点から、さまざまな態様が示されるだろう。さまざまなシステムは、追加のデバイス、構成要素、モジュール等を含みうるか、および／または、図面に関連して説明したようなデバイス、構成要素、モジュール等のうちのすべてを含む訳ではないことが理解および認識されるべきである。これらのアプローチの組み合わせもまた使用されうる。
【００２９】
図面に示すように、図１は、さまざまな態様にしたがって、アップリンク制御チャネルを処理するための、複雑さの低い、統一されたアプローチを容易にする無線通信システム１００の例を図示する。無線通信システム１００は、無線リンクを介して互いに通信する、基地局またはｅノードＢ（ｅＮＢ）１１０、ユーザ機器（ＵＥ）１２０、および、ＵＥ  １３０を含む。例えば、ｅＮＢ１１０は、ダウンリンク１４０によってＵＥ１２０へ情報を送信し、ＵＥ１２０は、アップリンク１５０によってｅＮＢ１１０に情報を送信しうる。同様に、ＵＥ１３０は、アップリンク１７０によってｅＮＢ１１０に情報を送信し、ダウンリンク１６０によってｅＮＢ１１０から情報を受信しうる。ダウンリンク１４０、１６０は、限定される訳ではないが、例えば、物理ダウンリンク制御チャネル（ＰＤＣＣＨ）、物理ダウンリンク共有チャネル（ＰＤＳＣＨ）、物理ブロードキャスト・チャネル（ＰＢＣＨ）等のような複数のチャネルを含みうる。さらに、アップリンク１５０、１７０は、例えば、物理アップリンク制御チャネル（ＰＵＣＣＨ）、物理アップリンク共有チャネル（ＰＵＳＣＨ）、物理ランダム・アクセス・チャネル（ＰＲＡＣＨ）等のような複数のアップリンク・チャネルを含みうる。
【００３０】
一例において、ｅＮＢ１１０は、例えば、マクロセル・アクセス・ポイント、フェムトセルまたはピコセル・アクセス・ポイント、ノードＢ、ｅノードＢ、基地局、モバイル基地局、これらの一部、および／または、ＵＥのために無線通信ネットワークへのアクセスを提供する実質的に任意のデバイスまたは装置、のようなアクセス・ポイントでありうる。図１には、２つのＵＥ（例えば、ＵＥ１２０、１３０）および１つのｅＮＢ１１０しか例示されていないが、システム１００は、任意の数のＵＥおよび／またはｅＮＢを含みうることが認識されるべきである。さらに、システム１００は、３ＧＰＰ  ＬＴＥまたはＬＴＥ−Ａ無線ネットワーク、ＷＣＤＭＡ無線ネットワーク、ＯＦＤＭＡ無線ネットワーク、ＣＤＭＡネットワーク、３ＧＰＰ２  ＣＤＭＡ２０００ネットワーク、ＥＶ−ＤＯネットワーク、ＷｉＭＡＸネットワーク、ＨＳＰＡネットワーク等において動作しうることが認識されるべきである。
【００３１】
態様では、ＵＥ１２０、１３０はそれぞれ、制御チャネル・モジュール１２２、１３２を含んでいる。制御チャネル・モジュール１２２、１３２は、アップリンク制御情報の生成、符号化、および／または、例えばＰＵＣＣＨのような制御チャネルへの変調を行いうる。アップリンク制御情報は、ハイブリッドＡＲＱ情報（例えば、アクノレッジメント（ＡＣＫ）および／または非アクノレッジメント（ＮＡＣＫ）情報）、チャネル品質インジケータ（ＣＱＩ）情報、および／または、スケジューリング要求を含みうる。１または複数のリソース・ブロックを含みうるアップリンク・リソースのセットは、ＰＵＣＣＨにおけるアップリンク制御情報のために割り当てられる。リソース・ブロックは、一例において、１２のサブ・キャリアおよび１つのスロットにわたる。一般に、１または複数のリソース・ブロックは、システム１００に利用可能な、利用可能な全体帯域幅の端部に位置する。一例では、システム１００は、スロット境界において周波数ホッピングを実施しうる。例えば、サブ・フレームにおけるＰＵＣＣＨ送信は、サブ・フレームの第１のスロット内のシステム帯域幅の端部において、または、端部近傍において、第１のリソース・ブロックを備え、サブ・フレームの第２のスロットでは、ＰＵＣＣＨ送信は、システム帯域幅の反対側の端部において、または、端部近傍において、第２のリソース・ブロックを備える。集合的に、第１のリソース・ブロックと、第２のリソース・ブロックとは、ＰＵＣＣＨ領域を確立する。システム１００は、１または複数のＰＵＣＣＨ領域（例えば、異なるＰＵＣＣＨリソース・ブロックのうちの１または複数のペア）を含みうる。
【００３２】
ＵＥ１２０、１３０は、アップリンク制御情報を送信するために、割り当てられたＰＵＣＣＨリソース（例えば、１または複数のＰＵＣＣＨ領域）を同時に利用しうる。１つの態様では、ＵＥ１２０、１３０は、周波数分割多重化（ＦＤＭ）技術を利用して分離されうる。例えば、ＵＥ１２０とＵＥ１３０とはそれぞれ、異なるＰＵＣＣＨ領域を使用するように設定されうる。したがって、異なる周波数位置に位置する異なるリソース・ブロックを使用するように設定されうる。別の態様では、ＵＥ１２０、１３０は、符号分割多重化（ＣＤＭ）技術を利用して分離されうる。例えば、ＵＥ１２０、１３０は、以下により詳細に説明されるように、異なるベース・シーケンスのサイクリック・シフト、および／または、異なる直交ブロック拡散符号を用いることによって、同じＰＵＣＣＨ領域内でアップリンク制御情報を送信しうる。
【００３３】
ＵＥ１２０、１３０は、それぞれＰＵＣＣＨ領域を割り当てられうる。これらは、異なる領域であるか、同一の領域でありうる。それに加えて、ＵＥ１２０、１３０は、ベース・シーケンスの、特定のサイクリック・シフトに対応するシフト・インデクスをそれぞれ割り当てられうる。さらに、送信されたアップリンク制御情報に依存して、ｅＮＢ１１０は、ＵＥ１２０、１３０にそれぞれ、直交カバー・シーケンスを割り当てうる。直交カバー・シーケンスは、複数のＵＥが、ベース・シーケンスの同一のシフトを利用できるようにするために、シンボルの時間領域拡散を提供しうる。
【００３４】
ＵＥ１２０、１３０の制御チャネル・モジュール１２２、１３２はそれぞれ、ｅＮＢ１１０へ送信される制御チャネルへアップリンク制御情報を組み込むために、割り当てられたＰＵＣＣＨ領域、シフト・インデクス、および／または、カバー・シーケンスを利用しうる。態様では、ＵＥ１２０、１３０は、同じサブ・フレーム内の同じリソース・ブロックで、アップリンク制御情報を送信しうる。ｅＮＢ１１０は、アップリンク制御情報を復元するために、おのおののユーザを分離する。ｅＮＢ１１０は、リソース・ブロックに関連付けられた制御チャネル信号を受信する制御チャネル受信モジュール１１２を含みうる。制御チャネル信号は、ＵＥ１２０、１３０を含む複数のＵＥによって送信されるアップリンク制御情報を含みうる。制御チャネル受信モジュール１１２は、受信された制御チャネル信号を、分離モジュール１１４に提供しうる。これは、受信された信号における各ユーザ（例えば、ＵＥ１２０、ＵＥ１３０、および／または、（図示しない）その他任意のＵＥ）を分離する。
【００３５】
一例では、分離モジュール１１４は、マッチ・フィルタを利用しうる。例えば、分離モジュール１１４は、受信された信号を、ユーザが割り当てられた１つのシーケンス（例えば、ベース・シーケンスのシフト）を用いてフィルタするために、マッチ・フィルタを適用しうる。残りのユーザは、平均化され、フィルタ出力されうる。このアプローチの下では、マッチ・フィルタは、受信された信号内の各ユーザのために必要とされる。別の例において、ターゲット・ユーザのシーケンスとのシーケンス・マッチングの後、受信された信号を、時間領域に変換するために、逆離散フーリエ変換（ＩＤＦＴ）が適用されうる。ターゲット・ユーザの信号は一般に、最初の数タップに存在する一方、その他のユーザは、後半のタップに存在する。切り捨て（例えば、受信された信号から、後半のタップを除去すること）によって、干渉を除去し、その結果、ターゲット・ユーザの信号が時間領域で表示されるようになる。ターゲット・ユーザの信号の、対応する周波数領域表示を得るために、離散フーリエ変換（ＤＦＴ）が適用される。このアプローチの下では、Ｍ  ＤＦＴとＭ  ＩＤＦＴとからなる合計Ｍ回のシーケンス・マッチングが実施される。ここで、Ｍは、受信された信号におけるユーザ数である。
【００３６】
態様によれば、分離モジュール１１４は、単一のパスで受信された信号から、個々のユーザ信号を分離しうる。特に、分離モジュール１１４は、単一のシーケンス・マッチング・ステップおよび単一のＩＤＦＴを用いて、受信された信号から、個々のユーザ信号を取得しうる。
【００３７】
例において、  
【数１】
2014014106.tif 000003
【００３８】
をベース・シーケンスとし、  
【数２】
2014014106.tif 000004
【００３９】
は、ベース・シーケンスのサイクリック・シフト・バージョンであり、  
【数３】
2014014106.tif 000005
【００４０】
および  
【数４】
2014014106.tif 000006
【００４１】
はそれぞれ、ベース・シーケンスおよびシフト・バージョンそれぞれのＤＦＴバージョンを表す。この例によれば、ｌおよびｋは、シーケンスの要素に対するタップ・インデクスおよびトーン・インデクスを表し、０からＫ−１の範囲にありうる。ここで、Ｋは、ベース・シーケンスの長さを表し、１以上の整数である。それに加えて、ｉは、ベース・シーケンスの特定のシフトに対応するサイクリック・シフト・インデクスを表す。この例を続けると、サイクリック・シフト・シーケンスの特性は、  
【数５】
2014014106.tif 000007
【００４２】
を与える。したがって、任意の  
【数６】
2014014106.tif 000008
【００４３】
および、対応する  
【数７】
2014014106.tif 000009
【００４４】
について、以下が保たれる。  
【数８】
2014014106.tif 000010
【００４５】
上記を考慮すると、同じリソース・ブロックで送信している異なるユーザに割り当てられた異なるシフト・インデクスを持つベース・シーケンスは、周波数領域で混合された、各ユーザからの信号となる。しかしながら、受信された信号を、ベース・シーケンスへマッチさせた後、おのおののユーザに関連付けられた信号は、時間領域において分離される。
【００４６】
態様では、分離モジュール１１４は、ＰＵＣＣＨリソース・ブロックで送信された複数のユーザ信号を分離するために、上述された特性を利用しうる。特に、ＰＵＣＣＨリソース・ブロックで信号を送信しているＵＥ１２０、ＵＥ１３０、およびその他任意のＵＥは、異なるベース・シーケンスのサイクリック・シフトを割り当てられうる。ｅＮＢ１１０は、おのおののＵＥからの個々の信号を組み込んだ、結合信号を受信する。ｅＮＢ１１０は、受信された信号の、ベース・シーケンスとのシーケンス・マッチングを実行するために、分離モジュール１１４を適用する。シーケンス・マッチングの後、分離モジュール１１４は、時間領域表示を生成するために、ＩＤＦＴを実行しうる。時間領域表示では、各ＵＥからの信号が分離される。分離モジュール１１４は、特定のユーザに関連付けられたサイクリック・シフト・インデクスに基づいて、（例えば、ＵＥ１２０および／またはＵＥ１３０のような）特定のユーザに関連付けられた信号を識別しうる。例えば、時間領域表示では、特定のユーザに関連付けられた信号が、時間領域表示における数タップに集約される。ここでは、これら数タップが、サイクリック・シフト・インデクスに対応している。分離モジュール１１４は、ユーザの信号を獲得するために、特定のユーザに関連付けられたタップ位置を識別しうる。
【００４７】
従来、ターゲット・ユーザの信号を取得する場合、他のユーザからの信号は、干渉として取り扱われ、干渉フィルタリングが適用されている。雑音および干渉の推定は、チャネル推定値が乗じられたユーザ信号（例えば、非ターゲット・ユーザ信号）を再構築することによって実行される。再構築されたユーザ信号は、受信された信号から除去される。
【００４８】
ｅＮＢ１１０は、チャネル推定値および／または雑音／干渉推定値を生成する推定モジュール１１６を含む。ＣＱＩを伝送するＰＵＣＣＨサブ・フレームにおけるチャネル推定値を生成するために、推定モジュール１１６は、各ユーザにそれぞれ関連付けられたシフト・インデクスにしたがって、各ユーザの基準信号（例えば、パイロット）シンボルを読み出す。ハイブリッドＡＲＱ情報を伝送するＰＵＣＣＨサブ・フレームの場合、パイロット・シンボルを読み出す前に、追加の時間領域逆拡散が適用される。雑音および干渉の推定値を生成するために、推定モジュール１１６は、未使用のシフト・インデクスおよび／または直交カバー・シーケンスを識別する。未使用のシフト・インデクスまたは直交カバー・シーケンスに対応する時間領域表示のタップは、雑音および干渉の推定値を自動的に提供する。したがって、推定モジュール１１６は、分散を計算するためにタップを収集し、信号再構築および減算に関連付けられた計算を回避する。
【００４９】
システム１００においてさらに例示されるように、ｅＮＢ１１０は、制御チャネル受信モジュール１１２、分離モジュール１１４、推定モジュール１１６、および／または、ｅＮＢ１１０のその他の機能のうちのいくつかまたはすべての機能を実施するために利用されうるプロセッサ１１８および／またはメモリ１１９を含みうる。さらに、ＵＥ１２０は、制御チャネル・モジュール１２２、および／または、ＵＥ１２０のその他の機能のうちのいくつかまたはすべての機能を実施するために適用されうるプロセッサ１２４および／またはメモリ１２６を含みうる。さらに、図１には図示されていないが、ＵＥ１３０は、ＵＥ１２０のプロセッサ１２４およびメモリ１２６に類似したプロセッサおよび／またはメモリを含みうる。
【００５０】
図２に移って、態様にしたがって、アップリンク制御チャネルのためのリソース構造２００の例が示されている。リソース構造２００は、周波数次元において１２のサブ・キャリアに、時間次元において１つのスロットにわたるリソース・ブロックを図示している。しかしながら、本明細書で記載された態様とともに、可変サイズからなるリソース・ブロックが適用され、添付された特許請求の範囲は、図２に例示されるリソース・ブロックの例に限定されるべきとは意図されていないことが認識されるべきである。さらに、リソース構造２００は、構造の一例であり、別の構造も利用されることが認識されるべきである。
【００５１】
態様では、リソース構造２００は、アップリンク・リソースのＰＵＣＣＨ領域でハイブリッドＡＲＱ情報（例えば、ＡＣＫ／ＮＡＣＫ情報）を送信するために利用されうる。リソース・ブロックのシンボル２、３、４は、基準信号を含んでいる一方、シンボル０、１、５、６は、データ（例えば、ＡＣＫ／ＮＡＣＫ情報）を含んでいる。基準信号シンボルは、チャネル推定のみならず、データ・シンボルのコヒーレントな復調をも容易する。
【００５２】
図３に示すように、さまざまな態様にしたがって、アップリンク制御情報の制御チャネルへの組み込みを容易にするシステム３００が例示される。システム３００は、ＵＥ１２０の制御チャネル・モジュール１２２を含みうる。これは、図１を参照して上述したものと類似しているか、類似した機能を実施しうる。態様では、制御チャネルへハイブリッドＡＲＱ情報を組み込むために、制御チャネル・モジュール１２２が適用されうる。
【００５３】
制御チャネル・モジュール１２２は、ＡＣＫ／ＮＡＣＫ情報（例えば、ハイブリッドＡＲＱ情報）を変調シンボルへ符号化する変調モジュール３０２を含みうる。一例では、ＡＣＫ／ＮＡＣＫ情報は、１つのアクノレッジメント・ビットを含み、変調モジュール３０２は、ＡＣＫ／ＮＡＣＫ情報をＢＰＳＫシンボルに変換するために、バイナリ・シフト・キーイング（ＢＰＳＫ）変調を利用する。別の例において、ＡＣＫ／ＮＡＣＫ情報は、１より多くのビットを含み、変調モジュール３０２は、ＡＣＫ／ＮＡＣＫ情報からＱＰＳＫシンボルを生成するために、直交フェーズ・シフト・キーイング（ＱＰＳＫ）を適用しうる。
【００５４】
乗算器モジュール３０４は、シフトされたシーケンスを、変調モジュール３０２によって生成された変調シンボルを用いて変調しうる。シフトされたシーケンスは、ＵＥ１２０に割り当てられた、セル特有のベース・シーケンスのサイクリック・シフト・バージョンでありえる。さらに、制御チャネル・モジュール１２２は、チャネル推定、コヒーレント復調等を容易にするために、制御チャネルに含まれる、シフトされたシーケンスを、基準信号として利用しうる。
【００５５】
ハイブリッドＡＲＱ情報は一般に、ＵＥ毎に、数ビットからなる情報を備え、制御チャネルのリソース・ブロックは一般に、ベース・シーケンスの、サポートされているサイクリック・シフト数よりも多くのユーザからの、ハイブリッドＡＲＱ情報のための容量を有する。リソース・ブロックにおいて、追加のユーザに適合するために、各ユーザは、直交カバー・シーケンスまたは拡散符号を割り当てられる。これによって、同じシフトされたシーケンスを持つユーザに、異なるカバー・シーケンスが割り当てられるようになる。拡散モジュール３０６は、時間領域における変調されたシフトされたシーケンスを、ＯＦＤＭシンボルにわたって拡散させるために、直交カバー・シーケンスを利用しうる。変調、シーケンス乗算、および拡散後、結果として得られた信号は、マッピング・モジュール３０８によって、制御チャネルのリソース・ブロックへマップされうる。それに加えて、マッピング・モジュール３０８は、基準信号（例えば、データ・シンボルによって変調されていないシフトされたシーケンス）を、リソース・ブロックに組み込みうる。
【００５６】
図４に移って、さまざまな態様にしたがって、ハイブリッドＡＲＱ情報から制御チャネルを生成するデータ・フロー４００が例示される。一例では、生成された制御チャネルは、図２を参照して記載された構造２００に対応している。しかしながら、その他のリソース構造が適用されうることが認識されるべきである。さらに、制御チャネル・モジュール１２２は、制御チャネルを生成するために、データ・フロー４００を実施しうる。
【００５７】
態様では、データ・フロー４００は、ＡＣＫ／ＮＡＣＫ情報で始まりうる。ＡＣＫ／ＮＡＣＫ情報は、ダウンリンク伝送ブロックのアクノレッジメントまたは非アクノレッジメントを示す１または２ビットの情報を含みうる。変調器４０２は、ＡＣＫ／ＮＡＣＫ情報を、変調シンボルａ０に変換する。一例では、変調器４０２は、ＡＣＫ／ＮＡＣＫ情報が１ビットを含んでいる場合、ＢＰＳＫを適用して、変調シンボルを生成し、ＡＣＫ／ＮＡＣＫ情報が２ビット以上を含んでいる場合、ＱＰＳＫを適用して、変調シンボルを生成しうる。データ・フロー４００に示すように、変調シンボルは、制御チャネルのリソース・ブロックの複数のシンボルで伝送されうる。構造２００にしたがって、変調シンボルａ０は、リソース・ブロックのシンボル０、１、５、６で伝送される。したがって、制御チャネルを生成するために、変調シンボルの複数かつ並列的な処理がなされる。
【００５８】
４０４では、シフトされたシーケンスに、変調シンボルが乗じられる（例えば、変調される）。シフトされたシーケンスは、ベース・シーケンスのサイクリック・シフトでありうる。一例では、シフトされたシーケンスは、制御チャネルのリソース・ブロックにおけるサブ・キャリアの数に対応する長さを有しうる。例えば、１２のサブ・キャリアにわたるリソース・ブロックを仮定すると、シフトされたシーケンスは、長さ１２のシーケンスでありうる。図４に示されるように、シフトされたシーケンスの変調は、複数回、並列的に実施され、これによって、ＡＣＫ／ＮＡＣＫ情報が、リソース・ブロックの複数のシンボル内に含まれるようになる。
【００５９】
４０６では、変調されたシフトされたシーケンスに、さらに、拡散符号が乗じられる。一例では、拡散符号は、長さ４の直交カバー・シーケンスでありうる。しかしながら、拡散符号は、リソース・ブロック内のデータ・シンボル数に対して変動するサイズのシーケンスを備えうることが認識されるべきである。さらに、拡散符号は、ウォルシュ符号またはその他類似の直交カバー・シーケンスでありうる。４０８では、シフトされたシーケンスに、拡散符号が乗じられる（変調）ことによって、基準信号が生成される。拡散符号は、例えばＤＦＴシーケンスのような長さ３の直交カバー・シーケンスでありうる。異なる長さを持つシーケンスが適用されうることが認識されるべきである。４１０では、各シンボルは、逆フーリエ変換を通過し、４１２に示すように、制御チャネルのリソース・ブロック内に組み込まれる。
【００６０】
図５に移って、態様にしたがうアップリンク制御チャネルのためのリソース構造５００の例が図示される。リソース構造５００は、周波数次元において１２のサブ・キャリア、時間次元において１つのスロットにわたるリソース・ブロックを図示している。しかしながら、本明細書に記載された態様とともに適用されうる可変サイズからなるリソース・ブロックが適用され、添付された特許請求の範囲は、図５に例示されるリソース・ブロックの例に限定されるものとは意図されていないことが認識されるべきである。さらに、リソース構造５００は、構造の一例であり、別の構造も利用されることが認識されるべきである。
【００６１】
態様では、リソース構造５００は、アップリンク・リソースのＰＵＣＣＨ領域でＣＱＩ情報を送信するために利用されうる。リソース・ブロックのシンボル１、５は、基準信号を含んでいる一方、シンボル０、２、３、４、６は、データ（例えば、ＣＱＩ情報）を含んでいる。基準信号シンボルは、チャネル推定のみならず、データ・シンボルのコヒーレントな復調をも容易する。
【００６２】
図６を参照して、さまざまな態様にしたがって、アップリンク制御情報の制御チャネルへの組み込みを容易にするシステム６００が例示される。システム６００は、ＵＥ１２０の制御チャネル・モジュール１２２を含みうる。これは、図１を参照して上述したものと類似しているか、類似した機能を実施しうる。さらに、制御チャネル・モジュール１２２は、制御チャネルへＣＱＩ情報を組み込むために適用されうる。
【００６３】
制御チャネル・モジュール１２２は、ＣＱＩ情報を複数の変調シンボルへ符号化する変調モジュール６０２を含みうる。一例では、ＣＱＩ情報は、複数のビットを備えうる。これらは、１０の変調シンボルを生成するために変調される。変調モジュール６０２は、ＣＱＩ変調シンボルを生成するために、ＱＰＳＫ変調を利用しうる。しかしながら、その他の変調スキームが適用されうることが認識されるべきである。乗算器モジュール６０４は、シフトされたシーケンスを変調するために、ＣＱＩ変調シンボルを適用しうる。シフトされたシーケンスは、ＵＥ１２０に割り当てられたセル特有のベース・シーケンスのサイクリック・シフト・バージョンでありえる。さらに、制御チャネル・モジュール１２２は、チャネル推定、コヒーレント復調等を容易にするために、制御チャネルに含まれる、シフトされたシーケンスを、基準信号として利用しうる。制御チャネル・モジュール１２２はさらに、マッピング・モジュール６０８を含む。これは、ＣＱＩ変調シンボルによって変調された、シフトされたシーケンスと、基準信号とを、制御チャネルの１または複数のリソース・ブロックにマップしうる。１つの態様では、マッピング・モジュール６０８は、構造５００にしたがって、変調されたＣＱＩ情報を、制御チャネルへ組み込みうる。しかしながら、その他のチャネル構造が適用されうることが認識されるべきである。
【００６４】
図７に移って、さまざまな態様にしたがって、チャネル品質情報から制御チャネルを生成するデータ・フロー７００が例示される。一例では、生成された制御チャネルは、図５を参照して記載されたリソース構造５００に対応する。しかしながら、別のリソース構造も適用され、しかも、本明細書で記載された構造は、説明を容易にするための例であることが認識されるべきである。
【００６５】
態様では、データ・フロー７００は、複数の情報ビットを含みうるＣＱＩ情報で始まりうる。例えば、ＣＱＩ情報は、２０の符号化ビットを生成するために、符号化された１０ビットからなる情報を含みうる。変調器４０２は、ＣＱＩ情報を、複数の変調シンボルに変換する。一例では、変調器７０２は、複数の変調シンボルを生成するために、ＱＰＳＫを適用しうる。２０の符号化ビットの上記例では、変調器７０２は、１０の変調シンボルを生成しうる。
【００６６】
構造５００に従って、各変調シンボルは、制御チャネルの個別のＯＦＤＭシンボルで伝送される。説明を単純にする目的で、データ・フロー７００は、５つの変調シンボルを伝送する、制御チャネルの１つのスロットまたはリソース・ブロックに関連付けられた制御チャネル処理を図示する。残りの５つの変調シンボルは、制御チャネルの別のスロットまたはリソース・ブロックにおいて、類似の方式で送信されうる。
【００６７】
７０４では、シフトされたシーケンスに、複数の変調シンボルからのそれぞれの変調シンボルが乗じられる（例えば、変調される）。シフトされたシーケンスは、ベース・シーケンスのサイクリック・シフトでありうる。一例では、シフトされたシーケンスは、制御チャネルのリソース・ブロックにおけるサブ・キャリアの数に対応する長さを有しうる。例えば、１２のサブ・キャリアにわたるリソース・ブロックを仮定すると、シフトされたシーケンスは、長さ１２のシーケンスでありうる。７０６では、変調された各シーケンスは、基準信号として提供される、変調されていないシフトされたシーケンスが、逆高速フーリエ変換を通過する。ＩＦＦＴ演算後、シーケンスは、制御チャネルのリソース・ブロックにマップされる。
【００６８】
図８に移って、さまざまな態様にしたがって、制御チャネルで送信された、複数のユーザからのアップリンク制御情報の分離を容易にするシステム８００が例示される。システム８００は、図１に関して上述したｅＮＢ１１０の分離モジュール１１４を含みうる。分離モジュール１１４は、複数のＵＥから、制御チャネル信号を含む制御チャネル信号を受信しうる。分離モジュール１１４は、受信された制御チャネル信号について、ベース・シーケンスに対するシーケンス・マッチングを実行するマッチング・モジュール８０２を含みうる。ベース・シーケンスは、制御情報を制御チャネルでｅＮＢ１１０に送信する場合に、ｅＮＢ１１０によってサービス提供されているＵＥが、ベース・シーケンス、および／または、ベース・シーケンスのサイクリック・シフトを利用できるように、セル特有でありうる。マッチング・モジュール８０２によるシーケンス・マッチング後、分離モジュール１１４は、ＩＤＦＴモジュール８０４を適用しうる。これは、マッチされた信号を、時間領域表示に変換する。
【００６９】
態様では、制御チャネルで制御信号を送信している各ＵＥは、それぞれの制御信号を生成している場合、異なるベース・シーケンスのサイクリック・シフトを適用する。複数のＵＥからの複数の制御信号を含む、受信された信号を、ベース・シーケンスにマッチさせ、マッチされた信号を、時間領域に変換した後、おのおののＵＥからのおのおのの制御信号は、時間領域において分離される。例えば、図９は、ベース・シーケンスとのシーケンス・マッチング後の、時間領域における３つのＯＦＤＭシンボルを図示する。図９に示すように、６つのＵＥの例からのデータ・シンボルが、時間において分散する。所与のＯＦＤＭシンボルについて、特定のＵＥに関連付けられたデータ・シンボルの、時間におけるタップ位置は、ＵＥによって利用されているサイクリック・シフト・インデクスに対応する。例えば、ベース・シーケンス（例えば、０のサイクリック・シフト・インデクス）を利用しているＵＥは、最初の数タップに位置する。別の例において、中央のサイクリック・シフト・インデクスを利用しているＵＥは、中央のタップに位置する。さらに、高いサイクリック・シフト・インデクスを利用しているＵＥは、後半のタップに位置する。態様では、シンボル・レベルのシフト・ホッピングが、制御チャネルにおいて、ＵＥによって適用されうる。シンボル・レベルシフト・ホッピングを用いて、ＵＥは、異なるＯＦＤＭシンボルにおいて、異なるサイクリック・シフト・インデクスを適用しうる。したがって、図９に示すように、特定のＵＥのためのタップ位置は、シンボル毎に変動しうる。別の例では、シンボル・レベル・シフト・ホッピングがなければ、特定のＵＥのタップ位置は、シンボル毎に整列するだろう。
【００７０】
分離モジュール１１４は、受信された制御チャネル信号のおのおののシンボルにおいて、所与のＵＥに関連付けられたタップ位置を識別するために、ウィンドウ・モジュール８０６を適用しうる。一例では、所与のシンボルについて、ウィンドウ・モジュール８０６は、対応するタップ位置を識別するために、このシンボルのためにＵＥによって利用されるサイクリック・シフトを利用しうる。図９に示されるように、ＵＥのタップ位置は、タップ位置のセットを生成するために、おのおののシンボルについて収集されうる。タップ位置のセットにおける各タップ位置に関連付けられた値が収集され、復調モジュール８１０によって復調され、ＣＱＩおよび／またはハイブリッドＡＲＱ情報が復元される。ハイブリッドＡＲＱ情報の場合、タップ位置のセットが、復調前に、逆拡散モジュール８０８へ提供される。これは、制御チャネルの容量を増やすために、ＵＥによって提供された直交カバー・シーケンスにさらに基づいて、制御チャネル信号を分離する。ＣＱＩ情報の場合、タップ位置のセットが、復調モジュール８１０にダイレクトに提供されうる。復調モジュール８１０は、復調を容易にするために、チャネル推定値、雑音推定値、および／または、干渉推定値を適用しうる。
【００７１】
図１０に移って、干渉および雑音の推定を容易にするシステム１０００が図示される。システム１０００は、図１に関して上述したｅＮＢ１１０の推定モジュール１１６を含みうる。推定モジュール１１６は、時間領域において分離された複数の制御チャネル信号を含む、分離された制御チャネル信号を、複数のＵＥから受信しうる。推定モジュール１１６は、何れかのサイクリック・シフトおよび／または直交カバー・シーケンスが、ＵＥによって使用されていないかを判定する、識別モジュール１００２を利用しうる。識別モジュール１００２は、対応するタップ位置を、未使用のタップのセットに収集し、このセットを、分散評価モジュール１００４に提供しうる。分散評価モジュール１００４は、雑音および干渉の推定値を生成するために、この未使用のタップのセットを利用しうる。態様では、カバーおよび未使用のシフトに対応する位置が、雑音および干渉の推定値を自動的に提供する。
【００７２】
図１１乃至図１２を参照して、方法は、アップリンク制御チャネルのための統一されたユーザ分離および雑音推定を容易にすることに関連して記載される。方法は、上述したシステム１００、８００、および／または、１０００によって実現されうる。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００７３】
図１１に移って、制御チャネル内で多重化された、複数のモバイル・デバイスからの複数の信号を分離する方法１１００が例示される。方法１１００は、例えば、アップリンク制御チャネルを受信するために基地局（例えば、ｅＮＢ１１０）によって適用されうる。参照番号１１０２では、制御チャネル信号が、制御チャネルで受信される。制御チャネル信号は、制御チャネルの１または複数のリソース・ブロックを含みうる。さらに、制御チャネル信号は、複数のＵＥからの複数の信号を含みうる。これらは、制御チャネル内でともに多重化される。参照番号１１０４では、制御チャネル信号が、ベース・シーケンスとマッチされうる。態様では、複数のＵＥはそれぞれ、制御チャネルにおける多重化を容易にするために、異なるベース・シーケンスのサイクリック・シフトを利用しうる。参照番号１１０６では、マッチされた信号が、時間領域表示に変換されうる。時間領域表示は、マッチされた信号に対して逆離散フーリエ変換を適用することにより生成されうる。例では、制御チャネル信号のマッチングと、マッチされた信号の変換とは、複数のＵＥの間で一度なされる。
【００７４】
時間領域表示では、複数の信号のうちの信号のおのおのが、時間領域表示の異なるタップに位置するように、複数の信号のうちの信号が、分離される。おのおののＵＥは、制御チャネルで送信する場合、異なるベース・シーケンスのサイクリック・シフト・バージョンを利用しうる。態様では、信号のタップ位置は、関連付けられたＵＥによって、この信号を送信するために適用されたサイクリック・シフト・インデクスに対応しうる。したがって、参照番号１１０８では、時間領域表示のタップ位置のセットが、各ＵＥのために識別される。例において、タップ位置のセットを識別することは、ＵＥによって適用されているサイクリック・シフト・バージョンのインデクスに関連付けられた、時間領域表示の位置を判定することによって有効とされうる。
【００７５】
ＵＥのために識別されたタップ位置のセットは、ＵＥによって送信された信号に対応する。したがって、伝送された制御情報は、信号を復調することにより復元されうる。１つの態様では、タップ位置のセットは、２つ以上のＵＥに関連付けられた２つ以上の信号を含みうる。例えば、複数のＵＥは、制御通信容量を最大化するために、同一のベース・シーケンスのサイクリック・シフト・バージョンを利用しうる。このような事例では、信号をさらに分離（例えば、逆拡散）するために、２つ以上の信号に対して、直交カバー・シーケンスが適用されうる。
【００７６】
図１２を参照して、制御チャネルに関連付けられた雑音および干渉を推定するための方法１２００が例示される。方法１２００は、アップリンク制御チャネルを受信するために、例えば、基地局（例えば、ｅＮＢ１１０）によって適用されうる。参照番号１２０２では、制御チャネル信号が、制御チャネルで受信されうる。制御チャネル信号は、制御チャネルの１または複数のリソース・ブロックを含みうる。さらに、制御チャネル信号は、複数のＵＥからの複数の信号を含みうる。これらは、制御チャネルにおいてともに多重化される。参照番号１２０４では、制御チャネル信号の時間領域表示が生成されうる。時間領域表示は、複数の信号のうちの信号が、時間領域で分離されるように生成される。例において、方法１１００は、時間領域表示を生成するために利用されうる。
【００７７】
参照番号１２０６では、未使用のサイクリック・シフト・インデクスに対応する時間領域表示におけるタップが識別される。例において、未使用のシフトに対応するタップは、雑音および干渉の推定値を自動的に提供する。１２０８では、識別されたタップに基づいて、制御チャネル信号に関連付けられた雑音および干渉が推定される。
【００７８】
本明細書に記載された１または複数の態様によれば、推論は、信号をベース・シーケンスにマッチさせること、特定のＵＥに関連付けられたタップ位置を収集すること、未使用のサイクリック・シフトを識別すること等に関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７９】
次に図１３を参照して、制御チャネルにおいて多重化されたユーザ信号の分離を容易にする装置１３００が図示される。装置１３００は、プロセッサ、ソフトウェア、またはそれらの組み合わせ（例えば、ファームウェア）によって実現される機能を表す機能ブロックでありうる機能ブロックを含むものとして示されることが認識されるべきである。装置１３００は、基地局（例えば、ｅＮＢ１１０）、および／または、その他任意の適切なネットワーク・エンティティによって実現されうる。装置１３００は、制御チャネルで制御チャネル信号を受信するためのモジュール１３０２と、制御チャネル信号をベース・シーケンスとマッチさせるためのモジュール１３０４と、信号を、時間領域表示に変換するためのモジュール１３０６と、ＵＥの信号に対応する時間領域表示のタップ位置のセットを識別するためのモジュール１３０８と、を含みうる。さらに、装置１３００は、サイクリック・シフト・インデクスに関連付けられたタップ位置を判定するためのオプションのモジュール１３１０と、タップ位置のセットに含まれた信号を復調するためのオプションのモジュール１３１２と、を含みうる。
【００８０】
図１４に移って、制御チャネルにおける雑音推定を容易にする装置１４００が図示される。装置１４００は、プロセッサ、ソフトウェア、またはそれらの組み合わせ（例えば、ファームウェア）によって実現される機能を表す機能ブロックでありうる機能ブロックを含むものとして示されることが認識されるべきである。装置１４００は、基地局（例えば、ｅＮＢ１１０）、および／または、その他任意の適切なネットワーク・エンティティによって実現されうる。装置１４００は、制御チャネルで制御チャネル信号を受信するためのモジュール１４０２と、制御チャネル信号の時間領域表示を生成するためのモジュール１４０４と、未使用のサイクリック・シフト・インデクスに関連付けられたタップを識別するためのモジュール１４０６と、識別されたタップに基づいて雑音を推定するためのモジュール１４０８と、を含みうる。さらに、装置１４００は、制御チャネル信号をベース・シーケンスとマッチさせるためのオプションのモジュール１４１０と、マッチした信号を、時間領域表示に変換するためのオプションのモジュール１４１２と、を含みうる。
【００８１】
図１５は、本明細書に記載された機能のさまざまな態様を実現するために利用されうる別のシステム１５００のブロック図である。一例では、システム１５００は、モバイル・デバイス１５０２を含んでいる。図示されるように、モバイル・デバイス１５０２は、１または複数の基地局１５０４から信号を受信し、１または複数のアンテナ１５０８によって１または複数の基地局１５０４へ送信しうる。それに加えて、モバイル・デバイス１５０２は、アンテナ１５０８から情報を受け取る受信機１５１０を備えうる。一例において、受信機１５１０は、受信した情報を復調する復調器（Ｄｅｍｏｄ）１５１２と動作可能に関連付けられうる。その後、復調されたシンボルは、プロセッサ１５１４によって分析されうる。プロセッサ１５１４は、モバイル・デバイス１５０２に関連するデータおよび／またはプログラム・コードを格納しうるメモリ１５１６に接続されうる。モバイル・デバイス１５０２はまた、送信機１５２０によるアンテナ１５０８を介した送信のために信号を多重化する変調器１５１８を含みうる。
【００８２】
図１６は、本明細書に記載された機能のさまざまな態様を実現するために利用されうるシステム１６００のブロック図である。一例では、システム１６００は、基地局すなわち基地局１６０２を含んでいる。図示されるように、基地局１６０２は、１または複数のＵＥ１６０４からの信号を、１または複数の受信（Ｒｘ）アンテナ１６０６から受信し、１または複数の送信（Ｔｘ）アンテナ１６０８を介して１または複数のＵＥ１６０４へ送信しうる。それに加えて、基地局１６０２は、受信アンテナ１６０６から情報を受信する受信機１６１０を備えうる。一例において、受信機１６１０は、受信した情報を復調する復調器（Ｄｅｍｏｄ）１６１２と動作可能に関連付けられうる。その後、復調されたシンボルは、プロセッサ１６１４によって分析されうる。プロセッサ１６１４は、符号クラスタ、アクセス端末割当、これらに関連するルックアップ・テーブル、ユニークなスクランブリング・シーケンスに関連する情報、および／または、その他の適切なタイプの情報を格納しうるメモリ１６１６に接続されうる。基地局１６０２はまた、送信機１６２０による送信アンテナ１６０８を介した送信のために、信号を多重化しうる変調器１６１８を含みうる。
【００８３】
図１７に示すように、本明細書に示されたさまざまな実施形態にしたがう無線通信システム１７００が例示されている。システム１７００は、複数のアンテナ・グループを含みうる基地局（例えば、アクセス・ポイント）１７０２を備える。例えば、１つのアンテナ・グループは、アンテナ１７０４およびアンテナ１７０６を含むことができ、別のグループはアンテナ１７０８およびアンテナ１７１０を備えることができ、さらに別のグループはアンテナ１７１２およびアンテナ１７１４を含むことができる。おのおののアンテナ・グループについて２本のアンテナしか例示されていないが、２本より多いアンテナ、または２本より少ないアンテナも、各グループのために利用されうる。基地局１７０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００８４】
基地局１７０２は、例えばＵＥ１７１６およびＵＥ１７２２のような１または複数のＵＥと通信しうる。しかしながら、基地局１７０２は、ＵＥ１７１６、１７２２に類似した実質的に任意の数のＵＥと通信しうることが認識されるべきである。ＵＥ１７１６、１７２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１７００によって通信するその他任意の適切なデバイスでありうる。図示するように、ＵＥ１７１６は、アンテナ１７１２、１７１４と通信し、アンテナ１７１２、１７１４は、ダウンリンク１７１８によってＵＥ１７１６に情報を送信し、アップリンク１７２０によってＵＥ１７１６から情報を受信する。さらに、ＵＥ１７２２は、アンテナ１７０４、１７０６と通信し、アンテナ１７０４、１７０６は、ダウンリンク１７２４によってＵＥ１７２２に情報を送信し、アップリンク１７２６によってＵＥ１７２２から情報を受信する。周波数分割デュプレクス（ＦＤＤ）システムでは、例えば、ダウンリンク１７１８が、アップリンク１７２０によって使用されるものとは異なる周波数帯域を利用し、ダウンリンク１７２４が、アップリンク１７２６によって適用されるものとは異なる周波数帯域を適用しうる。さらに、時分割デュプレクス（ＴＤＤ）システムでは、ダウンリンク１７１８とアップリンク１７２０とが、共通の周波数帯域を利用し、ダウンリンク１７２４とアップリンク１７２６とが、共通の周波数帯域を利用しうる。
【００８５】
通信するように指定された領域および／またはアンテナのおのおののグループは、基地局１７０２のセクタと称されうる。例えば、アンテナ・グループは、基地局１７０２によってカバーされた領域のセクタ内のＵＥへ通信するように設計されうる。ダウンリンク１７１８、１７２４による通信では、基地局１７０２の送信アンテナは、ＵＥ１７１６、１７２２のためのダウンリンク１７１８、１７２４の信号対雑音比を向上するために、ビームフォーミングを利用しうる。さらに、基地局１７０２は、関連付けられた有効通信範囲にわたってランダムに分散したＵＥ１７１６、１７２２へ送信するためにビームフォーミングを利用している間、近隣セル内のＵＥは、すべてのＵＥに対して単一のアンテナによって送信している基地局と比べて、少ない干渉しか被らない。さらに、ＵＥ１７１６、１７２２は、ピア・トゥ・ビアまたはアド・ホック技術（図示せず）を使用して、互いにダイレクトに通信しうる。
【００８６】
例によれば、システム１７００は、複数入力複数出力（ＭＩＭＯ）通信システムでありうる。さらに、システム１７００は、通信チャネル（例えば、ダウンリンク、アップリンク）を分割するために、例えばＦＤＤ、ＦＤＭ、ＴＤＤ、ＴＤＭ、ＣＤＭ等のような実質的に任意のタイプのデュプレクス技術を利用しうる。さらに、通信チャンネルは、チャネルによって複数のデバイスまたはＵＥとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。基地局１７０２は、さまざまなタイプのデータのために生成されうるチャネルによってＵＥ１７１６、１７２２へ通信しうる。例えば、チャネルは、さまざまなタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。
【００８７】
無線多元接続通信システムは、複数の無線アクセス端末のための通信を同時にサポートすることができる。前述したように、おのおのの端末は、順方向リンクおよび逆方向リンクによる送信によって１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（“ＭＩＭＯ”）システム、あるいは、その他いくつかのタイプのシステムによって確立されうる。
【００８８】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００８９】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００９０】
図１８は、無線通信システム１８００の例を示す。無線通信システム１８００は、簡潔さの目的のため、１つの基地局１８１０と１つのアクセス端末１８５０しか示していない。しかしながら、システム１８００は、１より多い基地局、および／または、１より多いアクセス端末を含みうることが認識されるべきである。ここで、追加の基地局および／またはアクセス端末は、以下に示す基地局１８１０およびアクセス端末１８５０の例と実質的に類似しうるか、あるいは、異なりうる。それに加えて、基地局１８１０および／またはアクセス端末１８５０は、その間の無線通信を容易にするために、本明細書に記載されたシステム（図１、８、１０、および１３−１４）および／または方法（図１１−１２）を適用しうる
基地局１８１０では、多くのデータ・ストリームのためのトラフィック・データが、データ・ソース１８１２から送信（ＴＸ）データ・プロセッサ１８１４へ提供される。一例によれば、おのおののデータ・ストリームが、それぞれのアンテナを介して送信される。ＴＸデータ・プロセッサ１８１４は、トラフィック・データ・ストリームをフォーマットし、このデータ・ストリームのために選択された特定の符号化スキームに基づいて符号化し、インタリーブして、符号化されたデータを提供する。
【００９１】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１８３０によって実行または提供される指示によって決定されうる。
【００９２】
データ・ストリームの変調シンボルは、（例えば、ＯＦＤＭのために）変調シンボルを処理するＴＸ  ＭＩＭＯプロセッサ１８２０に提供される。ＴＸ  ＭＩＭＯプロセッサ１８２０はその後、ＮＴ個の変調シンボル・ストリームを、ＮＴ個の送信機（ＴＭＴＲ）１８２２ａ乃至１８２２ｔへ提供する。さまざまな実施形態において、ＴＸ  ＭＩＭＯプロセッサ１８２０は、データ・ストリームのシンボル、および、そのシンボルが送信されるアンテナへ、ビームフォーミング重みを適用する。
【００９３】
おのおのの送信機１８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１８２２ａ乃至１８２２ｔからのＮＴ個の変調信号が、ＮＴ個のアンテナ１８２４ａ乃至１８２４ｔそれぞれから送信される。
【００９４】
アクセス端末１８５０では、送信された変調信号が、ＮＲ個のアンテナ１８５２ａ乃至１８５２ｒによって受信され、おのおののアンテナ１８５２から受信した信号が、それぞれの受信機（ＲＣＶＲ）１８５４ａ乃至１８５４ｒへ提供される。おのおのの受信機１８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００９５】
ＲＸデータ・プロセッサ１８６０は、ＮＲ個の受信機１８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１８６０は、検出されたおのおののシンボル・ストリームを復調し、デインタリーブし、復号して、そのデータ・ストリームのためのトラフィック・データを復元する。ＲＸデータ・プロセッサ１８６０による処理は、基地局１８１０におけるＴＸ  ＭＩＭＯプロセッサ１８２０およびＴＸデータ・プロセッサ１８１４によって実行されるものと相補的である。
【００９６】
プロセッサ１８７０は、上述したように、利用可能などの技術を利用するのかを定期的に決定する。さらに、プロセッサ１８７０は、行列インデクス部およびランク値部を備えた逆方向リンク・メッセージを規定することができる。
【００９７】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１８３６から受け取るＴＸデータ・プロセッサ１８３８によって処理され、変調器１８８０によって変調され、送信機１８５４ａ乃至１８５４ｒによって調整され、基地局１８１０へ送り戻される。
【００９８】
基地局１８１０では、アクセス端末１８５０からの変調信号が、アンテナ１８２４によって受信され、受信機１８２２によって調整され、復調器１８４０によって復調され、ＲＸデータ・プロセッサ１８４２によって処理されることにより、アクセス端末１８５０によって送信された逆方向リンク・メッセージが抽出される。さらに、プロセッサ１８３０は、ビームフォーミング重みを決定するためにどの事前符号化行列を使用するかを決定するために、この抽出されたメッセージを処理する。
【００９９】
プロセッサ１８３０およびプロセッサ１８７０は、基地局１８１０およびアクセス端末１８５０それぞれにおける動作を指示（例えば、制御、調整、管理等）する。プロセッサ１８３０およびプロセッサ１８７０はそれぞれ、プログラム・コードおよびデータを格納するメモリ１８３２およびメモリ１８７２に関連付けられうる。プロセッサ１８３０およびプロセッサ１８７０はまた、アップリンクおよびダウンリンクそれぞれのための周波数およびインパルス応答推定値を導出する計算をも実行する。
【０１００】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【０１０１】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。
【０１０２】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【０１０３】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【０１０４】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【０１０５】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１０６】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１０７】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
【図１】
2014014106.tif 000011
【図２】
2014014106.tif 000012
【図３】
2014014106.tif 000013
【図４】
2014014106.tif 000014
【図５】
2014014106.tif 000015
【図６】
2014014106.tif 000016
【図７】
2014014106.tif 000017
【図８】
2014014106.tif 000018
【図９】
2014014106.tif 000019
【図１０】
2014014106.tif 000020
【図１１】
2014014106.tif 000021
【図１２】
2014014106.tif 000022
【図１３】
2014014106.tif 000023
【図１４】
2014014106.tif 000024
【図１５】
2014014106.tif 000025
【図１６】
2014014106.tif 000026
【図１７】
2014014106.tif 000027
【図１８】
2014014106.tif 000028
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
無線通信の方法であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
を備える方法。
【請求項２】
前記制御チャネル信号をベース・シーケンスとマッチさせ、マッチした信号を、前記制御チャネル信号から生成することと、
前記時間領域表示を生成するために、逆離散フーリエ変換を適用することと、
をさらに備える、請求項１に記載の方法。
【請求項３】
無線通信装置であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
に関連する命令群を保持するメモリと、
前記メモリに接続され、前記メモリに保持された命令群を実行するように構成されたプロセッサと、
を備える無線通信装置。
【請求項４】
前記メモリはさらに、
前記制御チャネル信号をベース・シーケンスとマッチさせ、マッチした信号を、前記制御チャネル信号から生成することと、
前記時間領域表示を生成するために、逆離散フーリエ変換を適用することと、
に関連する命令群を保持する、請求項３に記載の無線通信装置。
【請求項５】
無線通信装置であって、
制御チャネルでユーザ機器から制御チャネル信号を受信する手段と、
前記制御チャネルの時間領域表示を生成する手段と、ここで、前記時間領域表示は、時間で分離される複数の信号を含む、
未使用のサイクリック・シフト・インデクスに対応する、前記時間領域表示におけるタップを識別する手段と、
前記タップに少なくとも部分的に基づいて、前記制御チャネル信号に関連付けられた雑音を推定する手段と、
を備える無線通信装置。
【請求項６】
前記制御チャネル信号をベース・シーケンスとマッチさせ、マッチした信号を、前記制御チャネル信号から生成する手段と、
前記マッチした信号を、前記時間領域表示に変換する手段と、
をさらに備える、請求項５に記載の装置。
【請求項７】
無線通信のためのコンピュータ読取可能な記録媒体であって、
制御チャネルでユーザ機器から制御チャネル信号を受信するためのコードと、
前記制御チャネルの時間領域表示を生成するためのコードと、ここで、前記時間領域表示は、時間で分離される複数の信号を含む、
未使用のサイクリック・シフト・インデクスに対応する、前記時間領域表示におけるタップを識別するためのコードと、
前記タップに少なくとも部分的に基づいて、前記制御チャネル信号に関連付けられた雑音を推定するためのコードと、
を備えるコンピュータ読取可能な記録媒体。
【請求項８】
前記制御チャネル信号をベース・シーケンスとマッチさせ、マッチした信号を、前記制御チャネル信号から生成するためのコードと、
前記時間領域表示を生成するために、逆離散フーリエ変換を適用するためのコードと、
をさらに備える、請求項７に記載のコンピュータ読取可能な記録媒体。
【請求項９】
無線通信装置であって、
制御チャネルでユーザ機器から制御チャネル信号を受信し、
前記制御チャネルの時間領域表示を生成し、ここで、前記時間領域表示は、時間で分離される複数の信号を含む、
未使用のサイクリック・シフト・インデクスに対応する、前記時間領域表示におけるタップを識別し、
前記タップに少なくとも部分的に基づいて、前記制御チャネル信号に関連付けられた雑音を推定する、
ように構成されたプロセッサを備える、無線通信装置。
【請求項１０】
前記プロセッサはさらに、
前記制御チャネル信号をベース・シーケンスとマッチさせ、マッチした信号を、前記制御チャネル信号から生成し、
前記時間領域表示を生成するために、逆離散フーリエ変換を利用するように構成された、請求項９に記載の無線通信装置。
【手続補正２】
【補正対象書類名】明細書
【補正対象項目名】０１０７
【補正方法】変更
【補正の内容】
【０１０７】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
以下に、本願出願の当初の特許請求の範囲に記載された発明を付記する。
［Ｃ１］  無線通信の方法であって、
制御チャネルでユーザ機器から制御チャネル信号を受信することと、
前記制御チャネル信号をベース・シーケンスとマッチさせ、マッチした信号を、前記制御チャネル信号から生成することと、
前記マッチした信号を、時間領域表示に変換することと、
前記ユーザ機器に関連付けられた信号に対応する、前記時間領域表示におけるタップ位置のセットを識別することと、
を備える方法。
［Ｃ２］  前記制御チャネル信号は、複数のユーザ機器からの複数の信号を含み、
前記ユーザ機器に関連付けられた信号は、前記複数のユーザ機器からの複数の信号のうちの１つである、Ｃ１に記載の方法。
［Ｃ３］  前記制御チャネル信号のマッチングと、前記マッチされた信号の変換とは、前記複数のユーザ機器について一度なされ、
前記複数のユーザ機器は、前記制御チャネル内で多重化される、Ｃ１に記載の方法。
［Ｃ４］  前記マッチされた信号は、時間において分離される前記複数の信号からの信号を含む、Ｃ３に記載の方法。
［Ｃ５］  前記マッチされた信号を変換することは、逆離散フーリエ変換を適用することを備える、Ｃ１に記載の方法。
［Ｃ６］  前記ユーザ機器は、前記信号を、前記制御チャネルで送信するために、前記ベース・シーケンスのサイクリック・シフト・バージョンを利用する、Ｃ１に記載の方法。
［Ｃ７］  前記タップ位置のセットを識別することは、前記サイクリック・シフト・バージョンのインデクスに関連付けられたタップ位置を判定することを備える、Ｃ６に記載の方法。
［Ｃ８］  前記複数のユーザ機器からのおのおののユーザ機器は、前記制御チャネルで信号を送信するために、異なるベース・シーケンスのサイクリック・シフト・バージョンを利用する、Ｃ２に記載の方法。
［Ｃ９］  前記タップ位置のセットは、２つ以上のユーザ機器に関連付けられた２つ以上の信号に対応する、Ｃ２に記載の方法。
［Ｃ１０］  前記２つ以上の信号を分離するために、前記２つ以上の信号に、直交カバー・シーケンスを適用することをさらに備える、Ｃ９に記載の方法。
［Ｃ１１］  前記タップ位置のセットに含まれる信号を復調して、制御情報を得ることをさらに備える、Ｃ１に記載の方法。
［Ｃ１２］  前記制御情報は、ハイブリッド自動反復要求情報を含む、Ｃ１１に記載の方法。
［Ｃ１３］  前記制御情報は、チャネル品質インジケータ情報を含む、Ｃ１１に記載の方法。
［Ｃ１４］  無線通信装置であって、
制御チャネルでユーザ機器から制御チャネル信号を受信することと、
前記制御チャネル信号をベース・シーケンスとマッチさせ、マッチした信号を、前記制御チャネル信号から生成することと、
前記マッチした信号を、時間領域表示に変換することと、
前記ユーザ機器に関連付けられた信号に対応する、前記時間領域表示におけるタップ位置のセットを識別することと、
に関連する命令群を保持するメモリと、
前記メモリに接続され、前記メモリに保持された命令群を実行するように構成されたプロセッサと、
を備える無線通信装置。
［Ｃ１５］  前記制御チャネル信号は、複数のユーザ機器からの複数の信号を含み、
前記ユーザ機器に関連付けられた信号は、前記複数のユーザ機器からの複数の信号のうちの１つである、Ｃ１４に記載の無線通信装置。
［Ｃ１６］  前記プロセッサは、前記複数のユーザ機器に対して一度、前記制御チャネル信号をマッチングすることと、前記マッチされた信号を変換することと、に関連する命令群を実行する、Ｃ１５に記載の無線通信装置。
［Ｃ１７］  前記マッチされた信号は、時間において分離される前記複数の信号からの信号を含む、Ｃ１６に記載の無線通信装置。
［Ｃ１８］  前記メモリはさらに、前記マッチした信号に対して、逆離散フーリエ変換を適用することに関連する命令群を保持する、Ｃ１４に記載の無線通信装置。
［Ｃ１９］  前記メモリはさらに、前記ベース・シーケンスのサイクリック・シフト・バージョンのインデクスに関連付けられたタップ位置を判定することに関連する命令群を保持し、
前記ユーザ機器は、前記信号を、前記制御チャネルで送信するために、前記サイクリック・シフト・バージョンを適用する、Ｃ１４に記載の無線通信装置。
［Ｃ２０］  前記複数のユーザ機器からのおのおののユーザ機器は、異なるベース・シーケンスのサイクリック・シフト・バージョンを適用する、Ｃ１５に記載の無線通信装置。
［Ｃ２１］  前記タップ位置のセットは、２つ以上のユーザ機器に関連付けられた２つ以上の信号に対応し、
前記メモリはさらに、前記２つ以上の信号を分離するために、前記２つ以上の信号に、直交カバー・シーケンスを適用することに関連する命令群を保持する、Ｃ１４に記載の無線通信装置。
［Ｃ２２］  前記メモリはさらに、前記タップ位置のセットに含まれる信号を復調して、制御情報を得ることに関連する命令群を保持する、Ｃ１４に記載の無線通信装置。
［Ｃ２３］  無線通信装置であって、
制御チャネルでユーザ機器から制御チャネル信号を受信する手段と、
前記制御チャネル信号をベース・シーケンスとマッチさせ、マッチした信号を、前記制御チャネル信号から生成する手段と
前記マッチした信号を、時間領域表示に変換する手段と、
前記ユーザ機器に関連付けられた信号に対応する時間領域表示におけるタップ位置のセットを識別する手段と、
を備える無線通信装置。
［Ｃ２４］  前記制御チャネル信号は、複数のユーザ機器からの複数の信号を含み、
前記ユーザ機器に関連付けられた信号は、前記複数のユーザ機器からの複数の信号のうちの１つである、Ｃ２３に記載の装置。
［Ｃ２５］  前記マッチさせる手段と、前記変換する手段とは、前記複数のユーザ機器のために一度利用される、Ｃ２４に記載の装置。
［Ｃ２６］  前記マッチされた信号は、時間において分離される前記複数の信号からの信号を含む、Ｃ２４に記載の装置。
［Ｃ２７］  前記複数のユーザ機器からのおのおののユーザ機器は、前記複数の信号のうちの１つを前記制御チャネルで送信するために、異なるベース・シーケンスのサイクリック・シフト・バージョンを利用する、Ｃ２４に記載の装置。
［Ｃ２８］  前記サイクリック・シフト・バージョンのインデクスに関連付けられたタップ位置を判定する手段をさらに備える、Ｃ２７に記載の装置。
［Ｃ２９］  前記複数のユーザ機器からのおのおののユーザ機器は、異なるベース・シーケンスのサイクリック・シフト・バージョンを適用する、Ｃ２７に記載の装置。
［Ｃ３０］  前記タップ位置のセットは、２つ以上のユーザ機器に関連付けられた２つ以上の信号に対応する、Ｃ２３に記載の装置。
［Ｃ３１］  前記２つ以上の信号を分離するために、前記２つ以上の信号に、直交カバー・シーケンスを適用する手段をさらに備える、Ｃ３０に記載の装置。
［Ｃ３２］  前記タップ位置のセットに含まれた信号を復調して、制御情報を得る手段をさらに備える、Ｃ２３に記載の装置。
［Ｃ３３］  コンピュータ・プログラム製品であって、
制御チャネルでユーザ機器から制御チャネル信号を受信するためのコードと、
前記制御チャネル信号をベース・シーケンスとマッチさせ、マッチした信号を、前記制御チャネル信号から生成するためのコードと、
前記マッチした信号を、時間領域表示に変換するためのコードと、
前記ユーザ機器に関連付けられた信号に対応する、前記時間領域表示におけるタップ位置のセットを識別するためのコードと、
を備えるコンピュータ読取可能媒体を備える、コンピュータ・プログラム製品。
［Ｃ３４］  前記制御チャネル信号は、複数のユーザ機器からの複数の信号を含み、
前記ユーザ機器に関連付けられた信号は、前記複数のユーザ機器からの複数の信号のうちの１つである、Ｃ３３に記載のコンピュータ・プログラム製品。
［Ｃ３５］  前記マッチされた信号は、時間において分離される前記複数の信号からの信号を含む、Ｃ３４に記載のコンピュータ・プログラム製品。
［Ｃ３６］  前記コンピュータ読取可能媒体はさらに、前記マッチした信号に対して、逆離散フーリエ変換を適用するためのコードを備える、Ｃ３３に記載のコンピュータ・プログラム製品。
［Ｃ３７］  前記コンピュータ読取可能媒体はさらに、前記ベース・シーケンスのサイクリック・シフト・バージョンのインデクスに関連付けられたタップ位置を判定するためのコードを備え、
前記ユーザ機器は、前記信号を、前記制御チャネルで送信するために、前記サイクリック・シフト・バージョンを適用する、Ｃ３３に記載のコンピュータ・プログラム製品。
［Ｃ３８］  前記タップ位置のセットは、２つ以上のユーザ機器に関連付けられた２つ以上の信号に対応する、Ｃ３３に記載のコンピュータ・プログラム製品。
［Ｃ３９］  前記コンピュータ読取可能媒体はさらに、前記２つ以上の信号を分離するために、前記２つ以上の信号に、直交カバー・シーケンスを適用するためのコードを備える、Ｃ３８に記載のコンピュータ・プログラム製品。
［Ｃ４０］  前記コンピュータ読取可能媒体はさらに、前記タップ位置のセットに含まれる信号を復調して、制御情報を得るためのコードを備える、Ｃ３４に記載のコンピュータ・プログラム製品。
［Ｃ４１］  無線通信装置であって、
制御チャネルでユーザ機器から制御チャネル信号を受信し、
前記制御チャネル信号をベース・シーケンスとマッチさせ、マッチした信号を、前記制御チャネル信号から生成し、
前記マッチした信号を、時間領域表示に変換し、
前記ユーザ機器に関連付けられた信号に対応する、前記時間領域表示のタップ位置のセットを識別する、
ように構成されたプロセッサを備え、
前記プロセッサはさらに、単一のパスにおいて、前記制御チャネル信号をマッチさせ、前記マッチした信号を変換するように構成された、無線通信装置。
［Ｃ４２］  無線通信の方法であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
を備える方法。
［Ｃ４３］  前記制御チャネル信号をベース・シーケンスとマッチさせ、マッチした信号を、前記制御チャネル信号から生成することと、
前記時間領域表示を生成するために、逆離散フーリエ変換を適用することと、
をさらに備える、Ｃ４２に記載の方法。
［Ｃ４４］  無線通信装置であって、
制御チャネルでユーザ機器から制御チャネル信号を受信することと、
前記制御チャネルの時間領域表示を生成することと、ここで、前記時間領域表示は、時間で分離される複数の信号を含む、
未使用のサイクリック・シフト・インデクスに対応する、前記時間領域表示におけるタップを識別することと、
前記タップに少なくとも部分的に基づいて、前記制御チャネル信号に関連付けられた雑音を推定することと、
に関連する命令群を保持するメモリと、
前記メモリに接続され、前記メモリに保持された命令群を実行するように構成されたプロセッサと、
を備える無線通信装置。
［Ｃ４５］  前記メモリはさらに、
前記制御チャネル信号をベース・シーケンスとマッチさせ、マッチした信号を、前記制御チャネル信号から生成することと、
前記時間領域表示を生成するために、逆離散フーリエ変換を適用することと、
に関連する命令群を保持する、Ｃ４４に記載の無線通信装置。
［Ｃ４６］  無線通信装置であって、
制御チャネルでユーザ機器から制御チャネル信号を受信する手段と、
前記制御チャネルの時間領域表示を生成する手段と、ここで、前記時間領域表示は、時間で分離される複数の信号を含む、
未使用のサイクリック・シフト・インデクスに対応する、前記時間領域表示におけるタップを識別する手段と、
前記タップに少なくとも部分的に基づいて、前記制御チャネル信号に関連付けられた雑音を推定する手段と、
を備える無線通信装置。
［Ｃ４７］  前記制御チャネル信号をベース・シーケンスとマッチさせ、マッチした信号を、前記制御チャネル信号から生成する手段と、
前記マッチした信号を、前記時間領域表示に変換する手段と、
をさらに備える、Ｃ４６に記載の装置。
［Ｃ４８］  無線通信のためのコンピュータ・プログラム製品であって、
制御チャネルでユーザ機器から制御チャネル信号を受信するためのコードと、
前記制御チャネル信号の時間領域表示を生成するためのコードと、ここで、前記時間領域表示は、時間で分離される複数の信号を含む、
未使用のサイクリック・シフト・インデクスに対応する、前記時間領域表示におけるタップを識別するためのコードと、
前記タップに少なくとも部分的に基づいて、前記制御チャネル信号に関連付けられた雑音を推定するためのコードと、
を備えるコンピュータ読取可能媒体を備える、コンピュータ・プログラム製品。
［Ｃ４９］  前記コンピュータ読取可能媒体はさらに、
前記制御チャネル信号をベース・シーケンスとマッチさせ、マッチした信号を、前記制御チャネル信号から生成するためのコードと、
前記時間領域表示を生成するために、逆離散フーリエ変換を適用するためのコードと、を備える、Ｃ４８に記載のコンピュータ・プログラム製品。
［Ｃ５０］  無線通信装置であって、
制御チャネルでユーザ機器から制御チャネル信号を受信し、
前記制御チャネル信号の時間領域表示を生成し、ここで、前記時間領域表示は、時間で分離される複数の信号を含む、
未使用のサイクリック・シフト・インデクスに対応する、前記時間領域表示におけるタップを識別し、
前記タップに少なくとも部分的に基づいて、前記制御チャネル信号に関連付けられた雑音を推定する、
ように構成されたプロセッサを備える、無線通信装置。
［Ｃ５１］  前記プロセッサはさらに、
前記制御チャネル信号をベース・シーケンスとマッチさせ、マッチした信号を、前記制御チャネル信号から生成し、
前記時間領域表示を生成するために、逆離散フーリエ変換を適用するように構成された、Ｃ５０に記載の無線通信装置。
【外国語明細書】
2014014106000001.pdf